(57)【要約】【課題】生体クリップに光反応性蛍光物質を搭載して位置表示子としての機能を強化することによって体内の施術対象部位の正確な位置を容易かつ迅速に探しうるようにするため、施術の正確性を高めることが可能な、手術用蛍光表示クリップを提供すること。【解決手段】本発明の手術用蛍光表示クリップは、自己拡開性を有するクリップ本体と、クリップ本体の器端側に具備され、光反応性蛍光物質を含む蛍光表示部と、蛍光表示部に装着される位置から外力によってクリップ本体にスライド移動しながらクリップ本体の先端を閉性するように締める締め部と、を含むことができる。【選択図】図１
2011005227.tif 000002
【特許請求の範囲】
【請求項１】
自己拡開性を有するクリップ本体と、
前記クリップ本体の器端側に具備され、光反応性蛍光物質を含む蛍光表示部と、
前記蛍光表示部に装着される位置から外力によって前記クリップ本体にスライド移動しながら前記クリップ本体の先端を閉性するように締める締め部と、を含むことを特徴とする手術用蛍光表示クリップ。
【請求項２】
前記クリップ本体は、
前記蛍光表示部が結合される器端部と、
前記器端部から先端側に延長される両腕部と、
前記両腕部の先端を内側に折り曲げて形成され、生体組織を挟持する挟持部と、を含むことを特徴とする請求項１に記載の手術用蛍光表示クリップ。
【請求項３】
前記両腕部は、
クリップ操作装置の操作アームの掛かる掛かり部と、
前記掛かり部の器端側に前記掛かり部の板幅より小さい板幅を有するように段差が形成され、前記締め部が掛かってクリップの把持状態を維持する段差部と、
前記段差部と前記器端部との間に凹むように形成され、自己拡開性を有する凹部と、を含むことを特徴とする請求項２に記載の手術用蛍光表示クリップ。
【請求項４】
前記掛かり部は、先端側から器端側に向けて細くなるテーパー状に形成されることを特徴とする請求項３に記載の手術用蛍光表示クリップ。
【請求項５】
前記クリップ本体は、光反応性蛍光物質の混合された材質からなることを特徴とする請求項１ないし請求項４の何れか一項に記載の手術用蛍光表示クリップ。
【請求項６】
前記クリップ本体の表面には、光反応性蛍光物質がコーティングされることを特徴とする請求項１ないし請求項４の何れか一項に記載の手術用蛍光表示クリップ。
【請求項７】
前記蛍光表示部は、前記クリップ本体に着脱可能に結合されることを特徴とする請求項１ないし請求項６の何れか一項に記載の手術用蛍光表示クリップ。
【請求項８】
前記蛍光表示部は、前記クリップ本体と一体型に形成されることを特徴とする請求項１ないし請求項６の何れか一項に記載の手術用蛍光表示クリップ。
【請求項９】
前記蛍光表示部は、
前記光反応性蛍光物質が内装されるケースと、
前記ケースを前記クリップ本体に締結するために前記ケースに具備される締結部と、を含むことを特徴とする請求項１ないし請求項８の何れか一項に記載の手術用蛍光表示クリップ。
【請求項１０】
前記ケースは、光透過性材質からなることを特徴とする請求項９に記載の手術用蛍光表示クリップ。
【請求項１１】
前記締結部は、前記ケースの先端側からそれぞれ延長され、それぞれの延長された端部の内側に締結突起が形成され、前記クリップ本体の器端側が前記締結突起内に挿入されて締結されることを特徴とする請求項９または請求項１０に記載の手術用蛍光表示クリップ。
【請求項１２】
前記締め部は、前記蛍光表示部の外径に介在され、スライド移動できるよう円筒形状を有する締め輪を含むことを特徴とする請求項１ないし請求項１１の何れか一項に記載の手術用蛍光表示クリップ。
【請求項１３】
クリップ本体と、
前記クリップ本体の器端側に一体型に形成されるか或いは着脱可能に結合され、光反応性蛍光物質を含む蛍光表示部と、
前記蛍光表示部の装着位置から外力によって前記クリップ本体にスライド移動されながら前記クリップ本体が生体組織をクリッピング（Ｃｌｉｐｐｉｎｇ）できるよう、前記クリップ本体を締める締め輪と、を含むことを特徴とする手術用蛍光表示クリップ。
【発明の詳細な説明】
【技術分野】
【０００１】
本発明は、手術用蛍光表示クリップに関わり、より詳細には生体クリップに光反応性蛍光物質を搭載して位置表示子としての機能を強化することによって体内施術対象部位の正確な位置を容易かつ迅速に探しうるようにする蛍光表示クリップに関する。
【背景技術】
【０００２】
従来、大腸（直腸、結腸）癌、胃癌などの治療のための外科施術の際、一般的に用いられる手術方法は、体内に内視鏡を投入して施術部位、例えば、癌発生部位を肉眼で確認した後、開腹手術または腹腔鏡手術を通じて体内の癌発生部位を切開して除去するのである。
【０００３】
しかし、従来の施術法では、内視鏡によって得られる視野角度及び範囲と、開腹または腹腔鏡によって得られる視野角度および範囲が全く違うため、切開すべきの目標位置を身体の外部から正確に探しにくい。よって、施術者の感覚や熟練度などによって切開の正確度及び切開範囲に差が出るという問題があった。
【０００４】
一方、このような問題点を解決するための手法として、内視鏡施術中における止血目的などに開発された特許文献１及び特許文献２などに生体クリップが開示されている。開示されている生体クリップは、別途に製作されたクリップ操作装置に装着されて体内の目的位置に移送された後、生体組織をクリッピングすることによって組織切開の際、位置表示のためのマーキングなどを行うようになる。
【０００５】
しかし、生体クリップが体内の施術部位にクリッピングされた状態で施術者が肉眼では生体クリップを直接見ることができないし、最近増加している腹腔鏡手術などにおいては生体クリップを直接触ってみることもできないため、施術時に切開しようとする部位の正確な位置を容易に探しにくい。そのため、施術の正確性が低下する可能性があるという問題がある。
【先行技術文献】
【特許文献】
【０００６】
【特許文献１】韓国公開特許第２００５−１１００１３号            「クリップ及び生体組織のクリップ装置」
【特許文献２】米国登録特許第０７３５７８０５号              「ＣＬＩＰ  ＤＥＶＩＣＥ  ＦＯＲ  ＥＮＤＯＳＣＯＰＥ  ＡＮＤ  ＣＬＩＰ  ＦＯＲ  ＥＮＤＯＳＣＯＰＥ  ＦＯＲ  ＵＳＥ  ＴＨＥＲＥＩＮ」
【発明の概要】
【発明が解決しようとする課題】
【０００７】
そこで、本発明は、前記問題に鑑みてなされたものであり、本発明の目的とするところは、生体クリップに光反応性蛍光物質を搭載して位置表示子としての機能を強化することによって体内施術の正確性を高めることが可能な、新規かつ改良された手術用蛍光表示クリップを提供することにある。
【０００８】
本発明の目的は、以上で言及した目的に制限されるのではなく、言及していない更に他の目的は下記の記載から当業者に明確に理解されるだろう。
【課題を解決するための手段】
【０００９】
前記目的を達成するための本発明の望ましい実施例による手術用蛍光表示クリップは、自己拡開性を有するクリップ本体と、前記クリップ本体の器端側に具備され、光反応性蛍光物質を含む蛍光表示部と、前記蛍光表示部に装着される位置から外力によって前記クリップ本体にスライド移動しながら前記クリップ本体の先端を閉性するように締める締め部と、を含むことができる。
【００１０】
また、前記クリップの本体は、前記蛍光表示部が結合される器端部と、前記器端部から先端側に延長される両腕部と、前記両腕部の先端を内側に折り曲げて形成され、生体組織を挟持する挟持部と、を含むことができる。
【００１１】
また、前記両腕部は、クリップ操作装置の操作アームの掛かる掛かり部と、前記掛かり部の器端側に前記掛かり部の板幅より小さい板幅を有するように段差が形成され、前記締め部が掛かってクリップの把持状態を維持する段差部と、前記段差部と前記器端部との間に凹むように形成され、自己拡開性を有する凹部と、を含むことができる。
【００１２】
また、前記掛かり部は、先端側から器端側に向けて細くなるテーパー状に形成されることが望ましい。
なお、前記クリップ本体は、光反応性蛍光物質の混合された材質からなるか、前記クリップ本体の表面には、光反応性蛍光物質がコーティングされ、クリップそのものが蛍光性を帯びるように製作することができる。
【００１３】
また、前記蛍光表示部は、前記クリップ本体に着脱可能に結合されるか、或いは前記クリップ本体と一体型に形成することができる。
また、前記蛍光表示部は、前記光反応性蛍光物質が内装されるケースと、前記ケースを前記クリップ本体に締結するために前記ケースに具備される締結部と、を含むことができる。
【００１４】
また、前記ケースは、透明な材質および光透過性材質からなることが可能である。
また、前記締結部は、前記ケースの先端側からそれぞれ延長され、それぞれの延長された端部の内側に締結突起が形成され、前記クリップ本体の器端側が前記締結突起内に挿入されて締結されることが可能である。
【００１５】
また、前記締め部は、前記蛍光表示部の外径に介在され、スライド移動できるよう円筒形状を有する締め輪を含むことができる。
また、本発明の手術用蛍光表示クリップは、クリップ本体と、前記クリップ本体の器端側に一体型に形成されるか或いは着脱可能に結合され、光反応性蛍光物質を含む蛍光表示部と、前記蛍光表示部の装着位置から外力によって前記クリップ本体にスライド移動されながら前記クリップ本体が生体組織をクリッピングできるよう、前記クリップ本体を締める締め輪と、を含むことができる。
【００１６】
その他、実施例の具体的な事項は、詳細な説明及び図面に含まれている。
【発明の効果】
【００１７】
前記したような本発明の手術用蛍光表示クリップによると、既存の生体クリップに光反応性蛍光物質を追加して位置表示子としての機能を強化することで、施術時、切開しようとする部位の正確な位置を容易かつ迅速に探すことができる。この結果、施術の正確性を高めることができ、過度な切開による副作用を最小化することができる。
【００１８】
また、既存に用いていた内視鏡装置をそのまま用いて生体内のクリップ移送及び締結作業を行うことができるため、施術時に別途の追加的な画像装備を導入する必要がない。
また、クリップ本体に追加された蛍光物質の位置把握のために人体に無害なレーザー、ＬＥＤなどのような光源を用いれば、施術時、患者に及ぶ影響がほぼないため、安全な施術が可能である。
【００１９】
また、光繊維を用いて光源装置を套管針（ｔｒｏｃａｒ）に通過可能な細くて長い形態に製作すれば、本発明の手術用蛍光表示クリップを、既存の開腹手術のみならず、腹腔鏡手術のときにも用いることができ、胃癌および大腸（直腸、結腸）癌の施術の他にも多様な外科施術のとき、目的の手術対象部位を容易かつ迅速に探しうるようにする位置表示子として、それの適用可能な分野が非常に広い。
【００２０】
また、光反応性蛍光物質から発散する光をより効果的に検出するために光繊維の先端部に平板形態の光フィルターを搭載するか、施術者がメガネ形態の光フィルター装置を着用するか、或いは内視鏡装置の内部の光通過経路上に光フィルターを内装させる構造が可能である。よって、内視鏡画面を通じてクリップの位置を肉眼で直接確認しながら切開施術を行う新しい施術方法を提供することができる。
【００２１】
本発明の効果は、以上で言及した効果に制限されるのではなく、言及していない更に他の効果は請求範囲の記載から当業者に明確に理解されるだろう。
【図面の簡単な説明】
【００２２】
【図１】本発明の望ましい実施例による手術用蛍光表示クリップの斜視図である。
【図２】本発明の望ましい実施例による手術用蛍光表示クリップの斜視図である。
【図３】クリップ本体と蛍光表示部とが一体型の構造を有する蛍光表示クリップを示す斜視図である。
【図４】クリップ本体の斜視図である。
【図５】クリップ本体の側面図である。
【図６】クリップ本体そのものに蛍光物質が含まれる一例を示す例示図である。
【図７】クリップ本体そのものに蛍光物質が含まれる一例を示す例示図である。
【図８】蛍光表示部の斜視図である。
【図９】本発明の蛍光表示クリップの使用状態を示す断面図である。
【図１０】本発明の蛍光表示クリップの使用状態を示す断面図である。
【発明を実施するための形態】
【００２３】
本発明の利点及び特徴、そしてそれを達成する方法は、添付する図面とともに詳細に後述されている実施例を参照すると、明確となるだろう。しかし、本発明は、以下で開示される実施例に限定されるのではなく、他の異なる形態に多様に具現することができる。本実施例はただ、本発明の開示が完全になるようにし、本発明の属する技術分野における通常の知識を有する者に発明の範囲を完全に知らせるために提供されるものであり、本発明は、特許請求の範囲によって定義されるだけである。明細書全体にかけて同一な参照符号は同一な構成要素を示す。参考に、本発明を説明することにおいて、連関する公知機能または構成についての具体的な説明が本発明の要旨を不必要にぼかすと判断される場合、その詳細な説明を省略する。
【００２４】
説明に先立って、本実施例で用いる用語のうち、先端側とは、使用状態における生体組織の方を示し、器端側とは、生体組織とは反対の方を示す。
以下に添付図面を参照して本発明の好適な実施形態について詳細に説明する。
【００２５】
図１及び図２は、本発明の望ましい一実施例による手術用蛍光表示クリップの斜視図であって、図１は、クリップの拡開状態を示し、図２は、クリップの閉まった状態を示す。また、図３は、クリップ本体と蛍光表示部とが一体型構造を有する蛍光表示クリップを示す斜視図であり、図４及び図５は、クリップ本体の斜視図及び側面図であり、図６及び図７は、クリップ本体そのものに蛍光物質が含まれる一例を示す例示図であり、図８は、蛍光表示部の斜視図である。
【００２６】
図１〜図８に示したように、本発明の望ましい実施例による手術用蛍光表示クリップ１００は、クリップ本体１１０、蛍光表示部１２０、及び締め部１３０などを含むことができる。
【００２７】
クリップ本体１１０は、細くて長い金属製の板バネを中央部から折り曲げて得られる形状に制作することができる。ここで、クリップ本体１１０を構成する金属製の板バネの幅寸法（ｗ、以下、板幅と称す）は、後述するクリップ操作装置１０（図９，１０参照）の内腔１１（図９，１０参照）に進退移動するように挿入されるため、それの寸法は制限されることがある。
【００２８】
クリップ本体１１０は、外力の加えられない場合、後述する挟持部１１５が外側に拡張されて開放された状態になるよう自己拡開性を有する。
クリップ本体１１０は、体腔内、特に、消化酵素の分泌される胃などで腐食されないよう、ステンレス及びチタン合金などの金属、またはＡＢＳ樹脂、軽質塩化ビニル樹脂、ポリアミド及びポリエチレンなどのプラスチック材質で制作されることが望ましい。また、クリップ本体１１０は、外力の加えられない場合、自己拡開性を有しうるよう弾性の豊かな材質からなることが望ましい。また、クリップ本体１１０を高分子材質で制作する場合、高分子クリップを作る工程にて蛍光物質１を高分子内に混合させることによって高分子材質のクリップそのものが蛍光性を帯びるように制作することができる（図６参照）。また、クリップ本体１１０の表面を蛍光物質１が含まれた高分子で薄くコーティング層３を形成してクリップそのものが蛍光性を帯びるように制作することができる（図７参照）。
【００２９】
クリップ本体１１０は、器端部１１１、両腕部１１３、及び挟持部１１５などで構成することができる。
器端部１１１は、蛍光表示クリップ１００の使用状態（図９及び図１０参照）で生体組織（図示せず）とは反対側（即ち、器端側）に位置し、後述する蛍光表示部１２０の締結突起１２３ａと着脱可能に結合される。
【００３０】
本実施例で、器端部１１１は、ほぼコ字形状の断面を有する構成を例示したが、これに限定されるのではなく、蛍光表示部１２０の締結突起１２３ａと締結可能な形状であれば十分である。
【００３１】
両腕部１１３は、器端部１１１の両側から生体組織の方向、即ち、前方（先端側）に細くて長く延長されて形成される。
両腕部１１３は、後述する生体クリップ操作装置１０の操作アーム（または操作ワイヤー）１３（図９，１０参照）の先端が掛かる掛かり部１１３ａと、掛かり部１１３ａの後端（器端側）に掛かり部１１３ａの板幅より小さい板幅を有するよう段差が形成され、後述する締め輪１３０が確実にかかってクリップの固定及び締め状態を維持する段差部１１３ｂと、器端部１１１と段差部１１３ｂとの間に内側に凹むように形成され、自己拡開性を有する凹部１１３ｃとで構成することができる。ここで、掛かり部１１３ａは、先端（先端側）から後端に向かうほど板幅がだんだん細くなるよう、テーパーになるよう形成されて後述するアーム１３の締結及び分離の容易な構造で構成されることが望ましい。
【００３２】
挟持部１１５は、生体組織を挟持できるよう両腕部１１３の先端を内側に折り曲げて形成される。
クリップ本体１１０を構成する器端部１１１、両腕部１１３、及び挟持部１１５は、本実施例で提示した形状に限定されるのではなく、多様な形状に制作することができ、生体組織をクリッピングして挟持しうる自己拡開性の構造であれば十分である。
【００３３】
蛍光表示部１２０は、クリップ本体１１０の後端に具備されるものの、図１及び図２に示したように、蛍光表示部１２０がクリップ本体１１０に着脱可能に結合されるか、図３に示したように、蛍光表示部１２０がクリップ本体１１０に一体型に形成することができる。
【００３４】
図８に示すように、蛍光表示部１２０は、ケース１２１及び締結部１２３などで構成することができる。
ケース１２１は、内部に所定サイズの保存空間が形成され、保存空間に後述する光反応性蛍光物質１２２が保存された後、気密性カバー（図示せず）によって密閉される。ここで、光反応性蛍光物質１２２は、特定波長の帯域の光源、例えば、人体に無害なレーザー、ＬＥＤなどのような光源から光が照射されたときに自ら光を発散する物質である。このような光反応性蛍光物質１２２としては、ナノサイズの半導体粒子（ＣｄＳｅ、ＣｄＴｅ、ＣｄＳ、ＩｎＡｓなど）が中心（Ｃｏｒｅ）をなす蛍光量子ドット（ｑｕａｎｔｕｍ  ｄｏｔ）とシアニン系蛍光染料（Ｃｙ３、Ｃｙ５、Ｃｙ５．５、Ｃｙ７など）、ＢＯＤＩＰＹ系蛍光染料（ＢＯＤＩＰＹ  ６３９／６５０−Ｘ  ＳＴＰ  ｅｓｔｅｒ）などの多様な蛍光物質を含むことができる。特に、照射された光に反応して近赤外線波長領域帯（６００〜９００ｎｍ波長）で蛍光を帯びる蛍光物質であれば、厚い生体組織における蛍光表示のための効率的に用いることができるため、本発明の使用に特に有用である。また、光反応性蛍光物質１２２は、固体または液体形態であることがあり、望ましくは液体形態の光反応性蛍光物質１２２を用いる。なお、ケース１２１は、光反応性蛍光物質１２２が封入された後、密閉されること、即ち、気密性を有することが望ましい。ケース１２１が、このように構成されていれば、光反応性蛍光物質１２２がケース１２１から漏れることを防止できる。この結果、光反応性蛍光物質１２２が人体に有害な成分を含んでいたとしても、その光反応性蛍光物質１２２が人体に触れることを防止できる。また、ケース１２１は、外部の光源から光が最大限透過して内部の光反応性蛍光物質１２２に照射されるようガラスまたはプラスチックなどのような透明材質及び光透過性材質からなることが望ましい。
【００３５】
締結部１２３は、光反応性蛍光物質１２２の内装されたケース１２１をクリップ本体１１０に締結できるようケース１２１に具備される。
締結部１２３は、ケース１２１の先端両側から前方にそれぞれ延長され、それぞれの延長された端部に内側方向に締結突起１２３ａが形成され、クリップ本体１１０の器端部１１１が締結突起１２３ａ内に挿入されて締結されることが可能である。ここで、ケース１２１の締結部１２３とクリップの本体１１０の器端部１１１の締結を容易にし、かつ、締結の後、ケース１２１の離脱を防止するために、締結突起１２３ａの先端は内側に傾くように形成され、締結突起１２３ａの後端は垂直に形成されることが望ましい。
【００３６】
つまり、締結部１２３は、ケース１２１から互いに対向するように同一方向に向けて突出した１対の片からなる。その締結部１２３それぞれの先端には、互いに相対するように配置された（即ち、内側に向けて突出した）締結突起１２３ａを有する。
【００３７】
なお、本実施例で、締結部１２３は、締結突起１２３ａの形態を有する構成を例示したが、これに限定されるのではなく、多様な締結構造の選択が可能である。例えば、締結部１２３は、クリップ本体１１０の器端部１１１に雌ねじ（図示せず）を形成してケース１２１の先端に雄ねじ（図示せず）を形成して雌ねじとねじ締結される構成も可能である。
【００３８】
締め部１３０は、蛍光表示部１２０に装着される位置からクリップ操作装置１０によって加えられる外力によって、クリップ本体１１０へとスライド移動されながらクリップ本体１１０の先端挟持部１１５を閉性するように締める。これによって、クリップ本体１１０が生体組織をクリッピングすることができる。
【００３９】
締め部１３０は、蛍光表示部１２０のケース１２１の外径に差し込まれてスライド移動できるよう円筒形状の締め輪（以下、参照符号１３０に説明する）で構成することができる。
【００４０】
締め輪１３０は、外力によって蛍光表示部１２０の装着位置からクリップ本体１１０にスライド移動されてクリップ本体１１０の段差部１１３ｂに掛かって安定的に装着されるよう蛍光表示部１２０のケース１２１の外径、クリップ本体１１０の器端部１１１、段差部１１３ｂ、及び凹部１１３ｃの板幅よりは大きく、かつクリップ本体１１０の掛かり部１１３ａの板幅よりは小さい内径を有することが望ましい。また、締め輪１３０は、クリップ本体１１０の段差部１１３ｂの長さに対応する長さを有することが望ましい。
【００４１】
締め輪１３０の材質としては特別に制限されないが、クリップ本体１１０とともに用いられるため、クリップ本体１１０と同一材質で制作することができる。例えば、締め輪１３０は、ステンレス及びチタン合金などの金属、またはＡＢＳ樹脂、軽質塩化ビニル樹脂、ポリアミド及びポリエチレンなどのプラスチック材質で制作されることが望ましい。
【００４２】
図９及び図１０は、本発明の蛍光表示クリップの使用形態を示した断面図であって、図９は、本発明の蛍光表示クリップをクリップ操作装置に装着した状態を示した断面図であり、図１０は、本発明の蛍光表示クリップの固定及び締め状態を示した断面図である。
【００４３】
まず、図９に示したように、本発明の蛍光表示クリップ１００は、別途に制作されたクリップ操作装置１０の先端側に装着して用いる。例えば、クリップ操作装置１０の操作アーム１３の先端側に蛍光表示クリップ１００の掛かり部１１３ａが掛かり、蛍光表示クリップ１００の器端部１１１及び蛍光表示部１２０がクリップ操作装置１０の内腔１１に進退移動可能に挿入されて装着することができる。ここで、クリップ操作装置１０は、光反応性蛍光物質１２２の内装された蛍光表示クリップ１００を装着して患者の生体組織内の目的位置に移送及び固定させるための装置である。このようなクリップ操作装置１０は、公知された技術から理解可能であるため、詳細な説明は省略する。
【００４４】
続いて、図１０に示したように、まず、クリップ操作装置１０の先端側に装着された蛍光表示クリップ１００を、大腸（直腸、結腸）、胃などのような生態組織内の目的部位に移送する。クリップ操作装置１０によって蛍光表示クリップ１００が目的位置に到達した状態でクリップ操作装置１０の操作アーム１３を後方（器端側）に引っ張って蛍光表示クリップ１００の掛かり部１１３ａを閉めて蛍光表示クリップ１００を目的の位置に固定させる。また、操作アーム１３を引っ張ることによってクリップ本体１１０の両腕部１１３は、器端部１１１側から締め輪１３０の内径に徐々に引き込まれ、締め輪１３０がクリップ本体１１０の段差部１１３ｂの位置まで引き込まれると、締め輪１３０が段差部１１３ｂに掛かって止まり、クリップ本体１１０の挟持部１１５が接触して図示しない生体組織を挟持する。この際、閉性状態にあるクリップ本体１１０は、締め輪１３０が段差部１１３ｂに掛かってしっかり固定されるため、クリップ本体１１０は挟持しなければならない生体組織のサイズに関わらず長期間にかけて生体組織を挟持した状態を維持することができる。
【００４５】
最後に、蛍光表示クリップ１００の固定及び締めが終了すると、操作アーム１３を掛かり部１１３ａから分離させてクリップ操作装置１０を身体の外部に引き抜いて光反応性蛍光物質１２２の内装された蛍光表示クリップ１００のみを生体組織内の目的部位に残す。
【００４６】
このように、クリップ本体１１０の後端に光反応性蛍光物質１２２の内装された蛍光表示部１２０を結合することによって、生体組織の手術部位にクリッピングして固定した後、外部から特定波長の帯域を有する光源（図示せず）を照射すると、光反応性蛍光物質１２２が光を発散することで身体内の蛍光表示クリップ１００の正確な位置を容易かつ迅速に探すことができる。
【００４７】
よって、本発明の蛍光表示クリップ１００を用いた場合、大腸（直腸、結腸）癌、胃癌などの治療の施術時、切開領域を最小化して治療効果を増大させることができ、過度な切開による副作用を最小化することができる。また、本発明の蛍光表示クリップ１００は、胃癌及び大腸（直腸、結腸）癌の施術の他にも多様な外科施術時、目的の部位を容易かつ迅速に探しうる位置表示子としてそれの適用可能分野が非常に広い。また、クリップ本体１１０に追加された光反応性蛍光物質１２２の位置把握のために人体に無害なレーザー、ＬＥＤのような光源を用いるため、施術時に患者に及ぶ影響がほぼなく、クリップ操作装置１０及び光源装置（図示せず）の小型化によって既存の腹腔鏡手術にもそのまま適用することができる。
【００４８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４９】
１００    蛍光表示クリップ
１１０    クリップ本体
１１１    器端部
１１３    両腕部
１１３ａ    掛かり部
１１３ｂ    段差部
１１３ｃ    凹部
１１５    挟持部
１２０    蛍光表示部
１２１    ケース
１２２    蛍光物質
１２３    締結部
１３０    締め部（締め輪）
【図１】
2011005227.tif 000003
【図２】
2011005227.tif 000004
【図３】
2011005227.tif 000005
【図４】
2011005227.tif 000006
【図５】
2011005227.tif 000007
【図６】
2011005227.tif 000008
【図７】
2011005227.tif 000009
【図８】
2011005227.tif 000010
【図９】
2011005227.tif 000011
【図１０】
2011005227.tif 000012